(57)【要約】【課題】機器収容架の底面側と天面側の上下２箇所に、振動を吸収すると共に、機器収容架の倒れを防止するための緩衝器を装着することで、機器収容架に実装された電子機器にそのまま振動が伝わるのを防止し、振動による機器への影響を抑えることが可能な機器収容架の固定構造を提供する。【解決手段】電子機器を実装する機器収容架の固定構造であって、前記機器収容架の天面上部に前記機器収容架を設置場所に固定する固定金具を配置し、前記機器収容架底面と床面との間に第１の緩衝器を設けると共に、前記機器収容架天面と前記固定金具との間に第２の緩衝器を設けたことを特徴とする。【選択図】  図２
2010245170.tif 000002
【特許請求の範囲】
【請求項１】
電子機器を実装する機器収容架の固定構造であって、前記機器収容架の天面上部に前記機器収容架を設置場所に固定する固定金具を配置し、前記機器収容架底面と床面との間に第１の緩衝器を設けると共に、前記機器収容架天面と前記固定金具との間に第２の緩衝器を設けたことを特徴とする機器収容架の固定構造。
【発明の詳細な説明】
【技術分野】
【０００１】
本発明は、例えば、カメラを制御するための制御装置やカメラで撮影した映像を記録するための映像記録装置等、複数の電子機器を実装する機器収容架の固定構造に関し、特に、防振機能を有する機器収容架の固定構造に関するものである。
【背景技術】
【０００２】
図３は、従来の機器収容架の外観を示す図であり、（ａ）は正面図、（ｂ）は平面図、（ｃ）は底面図、（ｄ）は右側面図、また、（ｅ）は正面の前面扉１０３を外した状態の正面図である。また、図４は、従来の機器収容架の固定構造を示す図であり、（ａ）は正面図、また、（ｂ）は（ａ）のＡ−Ａで切断した断面図である。１０１は、複数の電子機器１０２を実装するための機器収容架であり、各電子機器１０２の誤操作防止や外力からの保護、また、防塵等を目的として各電子機器１０２が機器収容架内に実装されている。また、各電子機器１０２は、機器収容架１０１内部の棚に挿入された後、図示しないネジによって機器収容架１０１にネジ止め固定される。
また、前面扉１０３を開ける事で、それぞれの電子機器１０２を前面から操作する事ができるようになっている。
また、各電子機器１０２を実装固定した機器収容架１０１は、図４に示すように、予め床面に立設された固定用アンカーボルト１１１に対し、固定用ナット１１２と緩み止め用ナット１１３で締め付けされる。固定位置は、図３の（ｃ）に示す収容架底面１０４の４箇所の固定ポイント１０５で固定する様に成っている。
【先行技術文献】
【特許文献】
【０００３】
【特許文献１】特開２００５−２５１８１７号公報
【発明の概要】
【発明が解決しようとする課題】
【０００４】
図３の機器収容架１０１は、地震に対応する筐体の強度や、図４で示すアンカーボルト１１１の強度を有し、図３で示した電子機器１０２は機器収容架１０１へそれぞれネジ（図示せず）で固定され、設置フロアと機器収容架１０１は、設置フロア上にあるアンカーボルト１１１と固定用ナット１１２及び緩み止め用ナット１１３で固定される。
従って、これらの構造や固定方法の採用により、常に振動の起こる場所への設置では、内部電子機器１０２へもそのまま振動が伝わり、実装品への振動的負担が避けられない構造になっていた。
【０００５】
本発明は、このような従来の事情に鑑みなされたものであり、機器収容架の底面側と天面側の上下２箇所に、振動を吸収すると共に、機器収容架の倒れを防止するための緩衝器を装着することで、機器収容架に実装された電子機器にそのまま振動が伝わるのを防止し、振動による機器への影響を抑えることが可能な機器収容架の固定構造を提供することを目的とする。
【課題を解決するための手段】
【０００６】
上述した課題を解決し、目的を達成するため、本発明の請求項１に係る発明は、電子機器を実装する機器収容架の固定構造であって、前記機器収容架の天面上部に前記機器収容架を設置場所に固定する固定金具を配置し、前記機器収容架底面と床面との間に第１の緩衝器を設けると共に、前記機器収容架天面と前記固定金具との間に第２の緩衝器を設けたことを特徴とする。
【発明の効果】
【０００７】
本発明によれば、電子機器を実装した機器収容架に限らず、下部固定ネジピッチの幅に対し、高さの有る機器収容架や棚に対する防振性を有した固定設置が可能になるという効果がある。
【図面の簡単な説明】
【０００８】
【図１】本発明の一実施形態の機器収容架の外観を示す図であり、（ａ）は正面図、（ｂ）は平面図、（ｃ）は底面図、（ｄ）は右側面図、また、（ｅ）は正面の前面扉３を外した状態の正面図である。
【図２】本発明の一実施形態の機器収容架の固定構造を示す図であり、（ａ）は正面図、（ｂ）は（ａ）のＤ部詳細図、（ｃ）は（ａ）のＢ−Ｂで切断した断面図である。
【図３】従来の機器収容架の外観を示す図であり、（ａ）は正面図、（ｂ）は平面図、（ｃ）は底面図、（ｄ）は右側面図、また、（ｅ）は正面の前面扉１０３を外した状態の正面図である。
【図４】従来の機器収容架の固定構造を示す図であり、（ａ）は正面図、また、（ｂ）は（ａ）のＡ−Ａで切断した断面図である。
【発明を実施するための形態】
【０００９】
以下に、本発明の一実施例について、図１及び図２を参照しながら説明する。
図１は、本発明の一実施形態の機器収容架の外観を示す図であり、（ａ）は正面図、（ｂ）は平面図、（ｃ）は底面図、（ｄ）は右側面図、また、（ｅ）は正面の前面扉３を外した状態の正面図である。また、図２は、本発明の一実施形態の機器収容架の固定構造を示す図であり、（ａ）は正面図、（ｂ）は（ａ）のＤ部詳細図、（ｃ）は（ａ）のＢ−Ｂで切断した断面図である。
１は、複数の電子機器２を実装するための機器収容架であり、各電子機器２の誤操作防止や外力からの保護、また、防塵等を目的として各電子機器２が機器収容架内に実装されている。また、各電子機器２は、機器収容架１内部の棚に挿入された後、図示しないネジによって機器収容架１にネジ止め固定される。
また、前面扉３を開ける事で、それぞれの電子機器２を前面から操作する事ができるようになっている。
【００１０】
図２は上部用防振ゴム１１及び下部用防振ゴム２１取付の詳細を示している。図２において、上部用防振ゴム１１及び下部用防振ゴム２１の形状は、振動の条件や機器収容架１の重量、供給メーカーによって異なるため参考とし、本実施例の取付方法・固定方法は一例に過ぎない。
機器収容架１下部の固定には、収容架底面４と設置フロアとの間に、下部用防振ゴム２１を挟み込んだ状態で固定する。
この時設置用に用意されたアンカーボルト２２と機器収容架１を固定用ナット２３で締め付けてしまうと下部用防振ゴム２１の効果が発揮されないため、固定用ナット２３の下部へもゴムワッシャー２４を挟み、固定用ナット２３で締めつける。
この固定用ナット２３は、軽く締付けそれ以上の増し締めをせずに、緩み止め用ナット２５との間で増し締めも含めた締結を行うものとする。
【００１１】
一方、下部用防振ゴム２１を介した機器収容架１の固定は、固定安定性が不十分なため、機器収容架１上部には倒れ防止を目的とした上部用防振ゴム１１を取り付け、機器収容架１上部も固定をする必要がある。
ここで使用する上部用防振ゴム１１は、機器収容架１の重量を倒れ方向に対し、せん断方向で支えることが出来る耐力のあるものとする。
上部用防振ゴム１１の固定は、設置場所周辺施設へ固定された天井側固定金具６に対して固定用ナット１２で取り付ける。この際固定用ナット１２は、上部用防振ゴム１１の抜け止めを目的とするため、金具に対して隙間を持たせた位置で、緩み止め用ナット１３と固定用ナット１２間で増し締めも含めて取付を行うものとする。こうする事で、機器収容架１の設置に対する不安はなくなる。
【００１２】
以上説明したように、本発明により、図２のように機器収容架１を固定すれば、床面からの振動は下部用防振ゴム２１によって抑制され、実装固定された電子機器２への影響を小さくする事が出来る。
また、地震等で大きな力が機器収容架１にかかり、下部用防振ゴム２１が機器収容架１を支えられない事態が発生した際、機器収容架１上部の天井側固定金具６に対して取り付けられている上部用防振ゴム１１にて機器収容架１の倒れを支えることができるようになる。
【符号の説明】
【００１３】
１：機器収容架、２：電子機器、３：前面扉、４：収容架底面、５：固定ポイント、６：天井側固定金具、１１：上部用防振ゴム、１２：固定用ナット、１３：緩み止め用ナット、２１：下部用防振ゴム、２２：アンカーボルト、２３：固定用ナット、２４：ゴムワッシャー、２５：緩み止め用ナット、１０１：機器収容架、１０２：電子機器、１０３：前面扉、１０４：収容架底面、１０５：固定ポイント、１１１：アンカーボルト、１１２：固定用ナット、１１３：緩み止め用ナット。
【図１】
2010245170.tif 000003
【図２】
2010245170.tif 000004
【図３】
2010245170.tif 000005
【図４】
2010245170.tif 000006